(57)【要約】  本発明は、ＯＦＤＭＡ方式無線通信システムを構成する基地局が、複数ユーザとの間で行うデータ送受信において、隣接基地局がデータ送受信の際に優先的に使用する他セル割り当てサブチャネル領域とは異なるデフォルトサブチャネル領域へ優先的にデータ列を割り当てるスケジューリング方法であって、デフォルトサブチャネル領域へ割り当て可能な数のデータ列を、ダウンリンクのスケジューリングであれば、隣接基地局からの干渉量が多いものから、アップリンクのスケジューリングであれば、その送信による隣接基地局への干渉量が多いものから選択し、デフォルトサブチャネル領域へ割り当てるデータ列選択割当ステップと、データ列選択割当ステップにおいてデータ列全てをデフォルトサブチャネル領域へ割り当てることができなかった場合、割り当てられなかったデータ列を、他セル割り当てサブチャネル領域へ割り当てる残りデータ列割当ステップと、を含む。
2007138664.tif 000002
【特許請求の範囲】
【請求項１】
ＯＦＤＭＡ（Orthogonal  Frequency  Division  Multiple  Access）方式を使用した無線通信システムを構成する特定の基地局が、複数ユーザ（端末）との間で行うデータ送受信において、隣接する他の基地局がデータ送受信の際に優先的に使用するサブチャネル領域（他セル割り当てサブチャネル領域）とは異なるデフォルトサブチャネル領域へ優先的にデータ列を割り当てる場合のスケジューリング方法であって、
前記デフォルトサブチャネル領域へ割り当て可能な数のデータ列を、下り方向（ダウンリンク）のスケジューリングであれば、隣接する他の基地局（隣接基地局）からの干渉量が多いものから順番に、一方、上り方向（アップリンク）のスケジューリングであれば、その送信による隣接基地局への干渉量が多いものから順番に、複数のデータ列の中から選択し、当該選択したデータ列を前記デフォルトサブチャネル領域へ割り当てるデータ列選択割当ステップと、
前記データ列選択割当ステップにおいて、前記複数のデータ列全てを前記デフォルトサブチャネル領域へ割り当てることができなかった場合、当該デフォルトサブチャネル領域へ割り当てられなかったデータ列を、前記他セル割り当てサブチャネル領域へ割り当てる残りデータ列割当ステップと、
を含むことを特徴とするスケジューリング方法。
【請求項２】
前記データ列選択割当ステップでは、選択したデータ列を、ダウンリンクのスケジューリングであれば、隣接基地局からの干渉量に基づいてグループ分けし、一方、上り方向アップリンクのスケジューリングであれば、その送信による隣接基地局への干渉量に基づいてグループ分けし、生成したそれぞれのグループを前記デフォルトサブチャネル領域内の異なる領域へ割り当てることを特徴とする請求項１に記載のスケジューリング方法。
【請求項３】
前記デフォルトサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記データ列選択割当ステップでは、前記選択したデータ列の中で、ダウンリンクのスケジューリングであれば、隣接基地局からの干渉量が最も少ないデータ列が含まれるグループを、一方、アップリンクのスケジューリングであれば、その送信による隣接基地局への干渉量が最も少ないデータ列が含まれるグループを、前記デフォルトサブチャネル領域内の少干渉量データ優先割当領域へ割り当て、これに対して、ダウンリンクのスケジューリングであれば、隣接基地局からの干渉量が最も多いデータ列が含まれるグループを、一方、アップリンクのスケジューリングであれば、前記選択したデータ列の中で、その送信による隣接基地局への干渉量が最も多いデータ列が含まれるグループを、前記デフォルトサブチャネル領域内の多干渉量データ優先割当領域へ割り当てることを特徴とする請求項２に記載のスケジューリング方法。
【請求項４】
前記他セル割り当てサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記残りデータ列割当ステップでは、前記デフォルトサブチャネル領域へ割り当てられなかったデータ列を、前記他セル割り当てサブチャネル領域内の少干渉量データ優先割当領域へ優先的に割り当てることを特徴とする請求項１に記載のスケジューリング方法。
【請求項５】
前記他セル割り当てサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記残りデータ列割当ステップでは、前記デフォルトサブチャネル領域へ割り当てられなかったデータ列を、前記他セル割り当てサブチャネル領域内の少干渉量データ優先割当領域へ優先的に割り当てることを特徴とする請求項２に記載のスケジューリング方法。
【請求項６】
前記他セル割り当てサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記残りデータ列割当ステップでは、前記デフォルトサブチャネル領域へ割り当てられなかったデータ列を、前記他セル割り当てサブチャネル領域内の少干渉量データ優先割当領域へ優先的に割り当てることを特徴とする請求項３に記載のスケジューリング方法。
【請求項７】
前記隣接基地局への干渉量を、データ列の送信電力密度および各端末との位置関係（距離）のいずれか一方または双方に基づいて判断することを特徴とする請求項１に記載のスケジューリング方法。
【請求項８】
前記隣接基地局への干渉量を、データ列の送信電力密度および各端末との位置関係（距離）のいずれか一方または双方に基づいて判断することを特徴とする請求項６に記載のスケジューリング方法。
【請求項９】
前記隣接基地局からの干渉量を、データ列の送信電力密度および各端末との位置関係（距離）のいずれか一方または双方に基づいて判断することを特徴とする請求項１に記載のスケジューリング方法。
【請求項１０】
前記隣接基地局からの干渉量を、データ列の送信電力密度および各端末との位置関係（距離）のいずれか一方または双方に基づいて判断することを特徴とする請求項６に記載のスケジューリング方法。
【請求項１１】
ＯＦＤＭＡ（Orthogonal  Frequency  Division  Multiple  Access）方式を使用した無線通信システムにおいて、複数ユーザ（端末）との間でデータの送受信を行う際に、隣接する他の通信装置がデータ送受信の際に優先的に使用するサブチャネル領域（他セル割り当てサブチャネル領域）とは異なるデフォルトサブチャネル領域へ優先的にデータ列を割り当ててデータの送受信を行う通信装置であって、
前記デフォルトサブチャネル領域へ割り当て可能な数のデータ列を、下り方向（ダウンリンク）のスケジューリングであれば、隣接する他の基地局（隣接基地局）からの干渉量が多いものから順番に、一方、上り方向（アップリンク）のスケジューリングであれば、その送信による隣接基地局への干渉量が多いものから順番に、複数のデータ列の中から選択し、当該選択したデータ列を、前記デフォルトサブチャネル領域へ割り当てる（スケジューリングする）第１のスケジューリング手段と、
前記第１のスケジューリング手段が、前記複数のデータ列全てを前記デフォルトサブチャネル領域に対して割り当ることができなかった場合、当該デフォルトサブチャネル領域へ割り当てられなかったデータ列を、前記他セル割り当てサブチャネル領域へ割り当てる第２のスケジューリング手段と、
前記第１のスケジューリング手段によるスケジューリング結果および前記第２のスケジューリング手段によるスケジューリング結果に従って前記複数のデータ列をマッピングするマッピング手段と、
を備えることを特徴とする通信装置。
【請求項１２】
前記第１のスケジューリング手段は、選択したデータ列を、ダウンリンクのスケジューリングであれば、隣接基地局からの干渉量に基づいてグループ分けし、一方、上り方向アップリンクのスケジューリングであれば、その送信による隣接基地局への干渉量に基づいてグループ分けし、生成したそれぞれのグループを前記デフォルトサブチャネル領域内の異なる領域へ割り当てることを特徴とする請求項１１に記載の通信装置。
【請求項１３】
前記デフォルトサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記第１のスケジューリング手段は、前記選択したデータ列の中で、ダウンリンクのスケジューリングであれば、隣接基地局からの干渉量が最も少ないデータ列が含まれるグループを、一方、アップリンクのスケジューリングであれば、その送信による隣接基地局への干渉量が最も少ないデータ列が含まれるグループを、前記デフォルトサブチャネル領域内の少干渉量データ優先割当領域へ割り当て、これに対して、ダウンリンクのスケジューリングであれば、隣接基地局からの干渉量が最も多いデータ列が含まれるグループを、一方、アップリンクのスケジューリングであれば、前記選択したデータ列の中で、その送信による隣接基地局への干渉量が最も多いデータ列が含まれるグループを、前記デフォルトサブチャネル領域内の多干渉量データ優先割当領域へ割り当てることを特徴とする請求項１２に記載の通信装置。
【請求項１４】
前記他セル割り当てサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記第２のスケジューリング手段は、前記デフォルトサブチャネル領域へ割り当てられなかったデータ列を、前記他セル割り当てサブチャネル領域内の少干渉量データ優先割当領域へ優先的に割り当てることを特徴とする請求項１１に記載の通信装置。
【請求項１５】
前記他セル割り当てサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記第２のスケジューリング手段は、前記デフォルトサブチャネル領域へ割り当てられなかったデータ列を、前記他セル割り当てサブチャネル領域内の少干渉量データ優先割当領域へ優先的に割り当てることを特徴とする請求項１２に記載の通信装置。
【請求項１６】
前記他セル割り当てサブチャネル領域を、ダウンリンクのスケジューリングであれば、隣接基地局からの干渉量が少ないデータ列を優先的に割り当て、一方、アップリンクのスケジューリングであれば、その送信による隣接基地局への干渉量が少ないデータ列を優先的に割り当てる少干渉量データ優先割当領域と、ダウンリンクのスケジューリングであれば、隣接基地局からの干渉量が多いデータ列を優先的に割り当て、一方、アップリンクのスケジューリングであれば、その送信による隣接基地局への干渉量が多いデータ列を優先的に割り当てる多干渉量データ優先割当領域と、が構成し、
前記第２のスケジューリング手段は、前記デフォルトサブチャネル領域へ割り当てられなかったデータ列を、前記他セル割り当てサブチャネル領域内の少干渉量データ優先割当領域へ優先的に割り当てることを特徴とする請求項１３に記載の通信装置。
【請求項１７】
前記隣接基地局への干渉量を、データ列の送信電力密度および各端末との位置関係（距離）のいずれか一方または双方に基づいて判断することを特徴とする請求項１１に記載の通信装置。
【請求項１８】
前記隣接基地局への干渉量を、データ列の送信電力密度および各端末との位置関係（距離）のいずれか一方または双方に基づいて判断することを特徴とする請求項１６に記載の通信装置。
【請求項１９】
前記隣接基地局からの干渉量を、データ列の送信電力密度および各端末との位置関係（距離）のいずれか一方または双方に基づいて判断することを特徴とする請求項１１に記載の通信装置。
【請求項２０】
前記隣接基地局からの干渉量を、データ列の送信電力密度および各端末との位置関係（距離）のいずれか一方または双方に基づいて判断することを特徴とする請求項１６に記載の通信装置。
【発明の詳細な説明】
【技術分野】
【０００１】
本発明は、ＯＦＤＭＡ（Orthogonal  Frequency  Division  Multiple  Access）方式を使用した無線通信システムにおいてデータ送受信を行う場合のスケジューリング方法に関するものであり、特に、隣接するセルとの間で干渉が発生するのを回避しつつ高スループットを実現するスケジューリング方法および通信装置に関するものである。
【背景技術】
【０００２】
ＯＦＤＭＡ方式の無線通信システムの規格として下記非特許文献１が存在する。下記非特許文献１に記載のＯＦＤＭＡ方式の無線通信システムにおいて、基地局は、自身に割り当てられた周波数帯域を複数のサブチャネルに分割し、分割後のサブチャネルを使用して自エリア（セル）内の端末と通信を行う。【０００３】
ここで、周波数帯域のサブチャネルへの分割方法として下記非特許文献に規定されているＰＵＳＣ（Partial  Usage  of  SubChannels）を適用し、各セルが単一セグメント構成をとる無線通信システムについて考える。このような場合、無線通信システムは、たとえば図１−１に示したように、隣接するセルにおいて使用するサブチャネルが互いに異なるものとなるように、各セルに対して周波数帯域を割り当てる。またこのとき、セル（Cell）Ｘ、ＹおよびＺに対しては、たとえば図１−２に示したサブチャネルが割り当てられる。【０００４】
【非特許文献１】“ＩＥＥＥ  ｓｔｄ  ８０２．１６−２００４”、p.551〜576
【発明の開示】
【発明が解決しようとする課題】
【０００５】
ＯＦＤＭＡシステムにおいてＰＵＳＣを適用した場合、図１−２に示したようにセル毎に任意のサブチャネルを割り当てて通信を行う。そのため、他セル（隣接するセル）で使用中のサブチャネルと同じサブチャネルがセル端等の端末との通信に対して割り当てられ、干渉が生じることがある、という問題がある。この問題は、各サブチャネルを構成するサブキャリアをセルによらず同一とし、それぞれのセルが互いに異なるサブチャネルを使用して通信を行うことにより解決できる。しかしながら、このような解決方法を採った場合、各セルで使用するサブチャネル数が限られてしまうため、高い平均スループットを実現することができない、という別の問題が生じる。【０００６】
本発明は、上記に鑑みてなされたものであって、各セルが単一セグメント構成をとり、かつ、サブチャネル分割方式としてＰＵＳＣを適用するＯＦＤＭＡシステムにおいて、他セル干渉波の影響を抑圧しつつ、平均スループットの向上を実現するスケジューリング方法および通信装置を得ることを目的とする。
【課題を解決するための手段】
【０００７】
上述した課題を解決し、目的を達成するために、本発明は、ＯＦＤＭＡ（Orthogonal  Frequency  Division  Multiple  Access）方式を使用した無線通信システムを構成する特定の基地局が、複数ユーザ（端末）との間で行うデータ送受信において、隣接する他の基地局がデータ送受信の際に優先的に使用するサブチャネル領域（他セル割り当てサブチャネル領域）とは異なるデフォルトサブチャネル領域へ優先的にデータ列を割り当てる場合のスケジューリング方法であって、前記デフォルトサブチャネル領域へ割り当て可能な数のデータ列を、下り方向（ダウンリンク）のスケジューリングであれば、隣接する他の基地局（隣接基地局）からの干渉量が多いものから順番に、一方、上り方向（アップリンク）のスケジューリングであれば、その送信による隣接基地局への干渉量が多いものから順番に、複数のデータ列の中から選択し、当該選択したデータ列を前記デフォルトサブチャネル領域へ割り当てるデータ列選択割当ステップと、前記データ列選択割当ステップにおいて、前記複数のデータ列全てを前記デフォルトサブチャネル領域へ割り当てることができなかった場合、当該デフォルトサブチャネル領域へ割り当てられなかったデータ列を、前記他セル割り当てサブチャネル領域へ割り当てる残りデータ列割当ステップと、を含むことを特徴とする。
【発明の効果】
【０００８】
本発明にかかるスケジューリング方法は、送受信するデータ量が多く、予め割り当てられている領域のサブチャネルのみを使用したデータ送受信ができない場合、他のセルに割り当てられている領域のサブチャネルを使用してデータ送受信を行い、また、各領域のサブチャネルへデータを割り当てる際には、各データの送信電力密度に基づいてデータの割り当て先を決定することとしたので、他セル干渉波の影響を低く抑えつつ、平均スループットを向上させることができる、という効果を奏する。
【図面の簡単な説明】
【０００９】
【図１−１】図１−１は、無線通信システムのセル配置の一例を示す図である。
【図１−２】図１−２は、無線通信システムの各セルに対して割り当てたサブチャネルの一例を示す図である。
【図２】図２は、本発明にかかるスケジューリング方法を適用する無線通信システムの構成例を示す図である。
【図３】図３は、基地局の構成例を示す図である。
【図４】図４は、実施の形態１のスケジューリング方法を説明するための図である。
【図５】図５は、実施の形態１のスケジューリング方法を説明するための図である。
【図６】図６は、実施の形態１のスケジューリング方法を説明するための図である。
【図７】図７は、実施の形態２のスケジューリング方法を説明するための図である。
【図８】図８は、隣接する２つのセルに存在する複数の端末の位置関係の一例を示す図である。
【図９】図９は、実施の形態２のスケジューリング方法を使用して行ったスケジューリング結果の一例を示す図である。
【図１０−１】図１０−１は、無線通信システムのセル配置の一例を示す図である。
【図１０−２】図１０−２は、無線通信システムの各セルに対して割り当てた上りデータ送信時に使用するサブチャネルの一例を示す図である。
【図１１】図１１は、実施の形態３の無線通信システムにおいて各セルに割り当てられたサブチャネル群の構成例を示す図である。
【図１２】図１２は、実施の形態３の無線通信システムにおいて各セルに割り当てられたサブチャネル群の詳細を示す図である。
【図１３】図１３は、実施の形態３のスケジューリング方法を説明するための図である。
【図１４】図１４は、実施の形態３のスケジューリング方法を説明するための図である。
【図１５】図１５は、実施の形態３のスケジューリング方法を説明するための図である。
【図１６】図１６は、実施の形態３のスケジューリング方法を使用したスケジューリング結果の一例を示す図である。
【符号の説明】
【００１０】
１、７０、８０  基地局
２、３、７１、７２、７３、７４、８１、８２  端末
１０  データ生成部
１１  ランダマイズ部
１２  符号化処理部
１３  インターリーブ処理部
１４  変調部
１５  マッピング部
１６  ＩＦＦＴ部
１７  ＧＩ付加部
１８  スケジューリング部
２０  ＧＩ削除部
２１  ＦＦＴ部
２２  検波部
２３  デマッピング部
２４  復調部
２５  デインターリーブ処理部
２６  復号化処理部
２７  デランダマイズ部
３０  アンテナ
【発明を実施するための最良の形態】
【００１１】
以下に、本発明にかかるスケジューリング方法および通信装置の実施の形態を図面に基づいて詳細に説明する。なお、この実施の形態によりこの発明が限定されるものではない。【００１２】
実施の形態１．
図２は、本発明にかかるスケジューリング方法を適用する無線通信システムの実施の形態１の構成例を示す図である。この無線通信システムは、基地局１と、端末２および３と、を含む。そして、基地局１は、ＤＬ（Down  Link）を介して端末２および３へ下りデータ（各端末へ送信するデータ、制御情報など）を送信し、ＵＬ（Up  Link）を介して端末２および３からの上りデータ（各端末から送信されたデータ、制御情報など）を受信する。【００１３】
図３は、基地局１の構成例を示す図であり、この基地局１は、下りデータの送信処理を行うデータ生成部１０、ランダマイズ部１１と、符号化処理部１２と、インターリーブ処理部１３と、変調部１４と、マッピング部１５と、ＩＦＦＴ（Inverse  Fast  Fourier  Transform）部１６と、ＧＩ（Guard  Interval）付加部１７と、スケジューリング部１８と、を備え、さらに、上りデータの受信処理を行うＧＩ削除部２０と、ＦＦＴ部２１と、検波部２２と、デマッピング部２３と、復調部２４と、デインターリーブ処理部２５と、復号化処理部２６と、デランダマイズ部２７と、を備え、また、下りデータおよび上りデータを送受信するためのアンテナ３０、を備える。なお、スケジューリング部１８が第１のスケジューリング手段および第２のスケジューリング手段に相当する。以下、図３に基づいて、基地局１が下りデータを送信する処理および上りデータを受信する処理について説明する。【００１４】
まず、下りデータの送信処理について説明する。スケジューリング部１８が決定したサブチャネル構成やバーストを割り当てるＯＦＤＭＡシンボルおよびサブチャネルに従って、データ生成部１０が生成した下りデータは、ランダマイズ部１１においてランダマイズされた後、符号化処理部１２において符号化される。符号化された下りデータは、インターリーブ処理部１３においてインターリーブされ、インターリーブされた下りデータに対して変調部１４が変調処理を実行し、変調データを生成する。マッピング部１５は、各下りデータをスケジューリング部１８が決定したＯＦＤＭＡシンボルおよびサブチャネルにマッピングし、ＩＦＦＴ部１６へ出力する。なお、スケジューリング部の詳細動作については後述する。マッピング部１５から出力されたデータは、ＩＦＦＴ部１６においてＩＦＦＴ（逆高速フーリエ変換）が実行され、ＧＩ付加部１７においてガードインターバルが付加された後、アンテナ３０を介して端末へ送信される。【００１５】
つづいて、上りデータの受信処理について説明する。アンテナ３０を介して受信した上りデータは、ＧＩ削除部２０においてガードインターバルが削除された後、ＦＦＴ部２１においてＦＦＴ（高速フーリエ変換）が実行され、さらに、検波部２２において検波処理が実行される。デマッピング部２３は、検波部２２の出力データから各上りデータ（各ユーザから受信した上りデータ）を抽出し、抽出されたデータに対して復調部２４が復調処理を実行する。デインターリーブ部２５は、復調されたデータをデインターリーブし、デインターリーブされたデータは、復号化処理部２６において復号化され、さらにデランダマイズ部２７においてデランダマイズされる。【００１６】
なお、端末も基地局と同様の構成を含み、上述したデータ送信処理により基地局に対して上りデータを送信し、データ受信処理により基地局からの下りデータを受信する。ただし、端末のマッピング部は、基地局から予め指示されている上りデータ送信用シンボルのスケジューリング結果に従って、マッピング処理を実行する。すなわち、同一基地局配下の各端末のマッピング部は、基地局から受信した下りフレームに含まれる上りサブチャネルおよびシンボルのスケジューリング結果に基づいて、送信する上りデータのマッピング処理を実行する。【００１７】
つづいて、ＯＦＤＭＡ方式を適用した無線通信システムにおいて、基地局１が複数の端末に対して下りデータを送信する場合のデータ割り当て方法（スケジューリング部１８が行うスケジューリング方法）について説明する。なお、各セルの構成は、図１−１に示したような構成をとり（ＤＬにおいて各セルが単一セグメント構成をとり）、かつ、ＰＵＳＣを適用するものとする。また、システムにおいて予め設定され、各セルの構成を決定するためのシステムパラメータの１つである“Use  all  SC  indicator”が“０”であるものとする。【００１８】
ＰＵＳＣを適用したシステムにおいて、サブチャネルは６つのサブチャネルグループ（Subchannel  group）＃０、＃１、＃２、＃３、＃４および＃５に分割される。ここで、本実施の形態においては、図４に示すように、セルＸ、Ｙ、Ｚには、それぞれサブチャネルグループ＃０および＃１、＃２および＃３、＃４および＃５がデフォルトサブチャネルグループとして予め割り当てられているものとする。そして、各セルにおいて、複数の下りデータをスケジューリングする場合、基本的にはそれら複数の下りデータを自セルに割り当てられたデフォルトサブチャネルグループ内に収まるように割り当てる。すなわち、各セルにおいては、自セルに対して割り当てられているデフォルトサブチャネルグループを優先的に使用して下りデータを送信する。【００１９】
なお、ＤＬのＰＵＳＣにおいて、システムパラメータの一つである“Use  all  SC  indicator”が“０”であれば（“Use  all  SC  indicator=0”である無線通信システムにおいては）、ＤＬゾーンによらず各サブチャネルグループを構成するサブキャリアは同一である。そのため、デフォルトサブチャネルグループ内に下りデータを割り当てて送信する限り、他セルへの干渉は生じない。【００２０】
以下、一例として、セルＸの基地局が下りデータを送信する場合のスケジューリング動作について説明する。セルＸにおいて、基地局（スケジューリング部１８）は、まず、１番目のＤＬゾーン（First  DL  Zone）に割り当てたいＦＣＨ（Frame  Control  Header）、ＤＬ−ＭＡＰなどの情報（以後、これらをまとめて“下りデータ”と記載する）の中から、図４に示した割り当て領域（１番目のＤＬゾーンであって、セルＸにデフォルトサブチャネルグループとして割り当てられているサブチャネルグループ＃０および＃１）へ割り当て可能な数の下りデータを、送信電力密度に基づいて選択する。具体的には、最も高い送信電力密度で送信する下りデータから順番に、上記割り当て領域へ割り当て可能な数の下りデータを選択する。そして、選択した下りデータを図４に示した割り当て領域へ割り当てる（スケジューリングする）。【００２１】
ここで、図４に示した割り当て領域へ割り当てたい下りデータを、当該割り当て領域へ収容しきれない場合（図４に示した割り当て領域へ全ての下りデータを割り当てることができない場合）、次のいずれかの手順を実行することにより、全ての下りデータを１番目のＤＬゾーンへ割り当てる。【００２２】
まず、第１の方法として、図５に示すように、セルＸの基地局は、全ての下りデータを同一フレーム内に割り当てられるように、ＯＦＤＭＡシンボル方向へ１番目のＤＬゾーン（First  DL  Zone）を拡大する。そして、拡大後のＤＬゾーンへ全ての下りデータを割り当てる。この場合、図５の時刻Ｔ1のＯＦＤＭＡシンボルは、自セル（セルＸ）においては１番目のＤＬゾーンであるのに対して、他セル（セルＹ，セルＺ）においては２番目のＤＬゾーン（Second  DL  Zone）となる。しかしながら、上述したように、各サブチャネルグループを構成するサブキャリアはＤＬゾーンによらず同一であるため他セル干渉を生じることはない。なお、他のセルにおいて、デフォルトサブチャネルグループに情報を収容できない場合についても同様に、First  DL  Zoneを拡大する。【００２３】
次に、第２の方法として、たとえば図６に示すように、セルＸの基地局は、使用するサブチャネルグループを追加し、デフォルトサブチャネルグループおよび追加したサブチャネルグループへ全ての下りデータを割り当てられるようにする。図６に示した例においては、サブチャネルグループ＃２を追加している。すなわち、デフォルトサブチャネルグループとしてセルＹに割り当てられているサブチャネルグループ＃２をセルＸでも使用することとしている。そして、セルＸの基地局は、全ての下りデータをデフォルトサブチャネルグループおよび追加したサブチャネルグループへ割り当てる。【００２４】
ここで、セルＸにおいては、追加分のサブチャネルグループ＃２へ下りデータを割り当てる場合、基地局は、低電力密度で送信可能な下りデータ（たとえば、基地局近くの端末に対する下りデータや低受信電力でも復調可能な下りデータ）をサブチャネルグループ＃２へ優先的に割り当てる。これにより、セルＸにおいてサブチャネルグループ＃２へ割り当てて送信する下りデータは、セルＹへ伝搬するまでに減衰する。すなわち、セルＸにおけるサブチャネルグループ＃２を使用したサブキャリア送信は、セルＹにおけるサブチャネルグループ＃２を使用したサブキャリア（データサブキャリア、パイロットサブキャリア）に対して干渉を与えない程度に十分減衰する。【００２５】
なお、セルＸの基地局は、高電力密度で送信する下りデータをサブチャネルグループ＃１へ優先的に割り当てる。以上より、基地局は、各サブチャネルグループにて送信される下りデータの送信電力密度が「（サブチャネルグループ＃１の下りデータの送信電力密度）＞（サブチャネルグループ＃０の下りデータの送信電力密度）＞（サブチャネルグループ＃２の下りデータの送信電力密度）」の関係となるように、各下りデータを送信電力密度に基づいてグループ分けし、グループ毎に異なるサブチャネルグループへ割り当てる（スケジューリングを行う）。【００２６】
また、セルＸの基地局が自セルのデフォルトサブチャネルグループとして割り当てられているものとは別のサブチャネルグループを追加使用する場合、まず上述したように、偶数番目のサブチャネルグループ（サブチャネルグループ＃２，＃４）を追加していく。そして、偶数版目のサブチャネルグループを全て追加したにもかかわらず割り当てたい下りデータを全て収容できない場合には、さらに奇数番目のサブチャネルグループ（サブチャネルグループ＃３，＃５）を追加していく。これは、各セルにおいて、奇数番目のサブチャネルグループにセル端等の端末（他セルの基地局からの到来波レベルが高い端末）に対する下りデータを割り当てるためである。また、セルＸの基地局は、他セルに対する影響（干渉）を小さくするために、追加したサブチャネルグループには、送信電力密度の低い下りデータを優先的に割り当てる。さらに詳しくは、追加したサブチャネルグループの中で奇数番目のサブチャネルグループに対して、より送信電力密度の低い下りデータを優先的に割り当てる。【００２７】
なお、上記説明においては、より送信電力密度の高い下りデータを奇数番目のサブチャネルグループへ割り当て、サブチャネルグループを追加する場合には偶数番目のサブチャネルグループから順番に追加することとしているが、これとは逆の動作としてもよい。すなわち、より送信電力密度の高い下りデータを偶数番目のサブチャネルグループへ割り当て、サブチャネルグループを追加する場合には奇数番目のサブチャネルグループから順番に追加する追加するようにしてもよい。また、他のセルにおいてデフォルトサブチャネルグループに全ての下りデータを収容できない場合も、同様の手順によりサブチャネルグループを追加し、より多くの下りデータを送信できるようにする。また、図４、５などにおいて示した例などにおいて、各ＤＬゾーンは時間的に同期している必要はない。【００２８】
また、セルＸの基地局（スケジューリング部１８）は、全ての下りデータを図４に示した割り当て領域に収容できると判断した場合であっても、高電力密度で送信する下りデータをサブチャネルグループ＃１へ優先的に割り当てる。これは、上述したように、各セルにおいて奇数番目のサブチャネルグループにセル端等の端末（他セルの基地局からの到来波レベルが高い端末）に対する下りデータを割り当てるためである。【００２９】
このように、本実施の形態においては、予め割り当てられているサブチャネルグループのみを使用して下りデータを送信できない（予め規定されている下りデータを割り当てるための領域内に全ての下りデータを割り当てることができない）場合、基地局は、ＤＬゾーンをＯＦＤＭＡシンボル方向へ拡大する、または、他のセルに割り当てられているサブチャネルグループを追加使用することにより、下りデータを割り当てるための領域を拡張することとした。また、他のセルに割り当てられているサブチャネルグループを追加使用する場合においては、各下りデータの送信電力密度に基づいて下りデータの割り当て先（データを割り当てるサブチャネルグループ）を決定することとした。これにより、他セル干渉波の影響を低く抑えつつ、平均スループットを向上させることができる。【００３０】
また、各セルの基地局は、全ての下りデータを割り当てることができない場合には、予め規定された手順（各端末への送信電力密度を考慮した手順）により自律的に下りデータを割り当てるための領域を拡張する動作を実行することとした。そのため、無線通信システムにおいて基地局間で割り当てるサブチャネルを管理する必要がなく（基地局間で制御情報のやりとりをする必要がなく）簡易な手順で他セルに対する干渉の抑圧および平均スループットの向上を実現することができる。【００３１】
実施の形態２．
つづいて、実施の形態２のスケジューリング方法および通信装置について説明する。なお、本実施の形態の無線通信システムの構成、各セルの構成および基地局の構成は上述した実施の形態１と同様である。また、各セルに対して予め割り当てておくサブチャネルグループ（デフォルトサブチャネルグループ）も実施の形態１と同様である。そのため、本実施の形態においては、実施の形態１と異なる部分についてのみ説明する。【００３２】
ここで、各セルにおいて、奇数番号のサブチャネルグループには、セル端等の他セルの基地局からの到来波レベルが高い（距離減衰が小さい）端末に対する下りデータを割り当てる。これとは逆に、自セルの基地局の近くに位置するなど、他セルの基地局からの到来波レベルが低い端末に対する下りデータは偶数番目のサブチャネルグループに割り当てるものとする。【００３３】
また、本実施の形態においては、セルＸの２番目のＤＬゾーン（Second  DL  Zone）に対して割り当てたい下りデータが多数存在し、それら全てを図４に示した割り当て領域（２番目のＤＬゾーンであって、セルＸにデフォルトサブチャネルグループとして割り当てられているサブチャネルグループ＃０および＃１）に収容できない場合の基地局の動作について説明する。【００３４】
このような、２番目のＤＬゾーンに対して割り当てたい下りデータが多数存在する場合、セルＸの基地局は、図７に示すように、使用するサブチャネルグループを追加する。図７に示した例においては、サブチャネルグループ＃２を追加分として使用する。すなわち、デフォルトサブチャネルグループとしてセルＹに割り当てられているサブチャネルグループ＃２をセルＸでも使用する。【００３５】
なお、サブチャネルグループ＃２のみの追加では不十分の場合（全ての下りデータを収容することができない場合）、まだ追加されていない偶数番目のサブチャネルグループ（この例ではサブチャネルグループ＃４）を追加する。それでもまだ不十分な場合には、さらに奇数番目のサブチャネルグループ（サブチャネルグループ＃３、＃５）を順番に追加する。このような順番でサブチャネルグループを追加するのは、上述したように、各セルにおいて、他セルの基地局からの到来波レベルが高いセル端等の端末に対する下りデータを奇数番目のサブチャネルグループへ割り当てているためである。【００３６】
たとえば、セルＹにおいては、サブチャネルグループ＃３へ他セルの基地局からの到来波レベルが高いセル端等の端末に対する下りデータを割り当てている。そのため、仮にセルＸにおいて、サブチャネルグループ＃３を追加し、下りデータを割り当てて送信した場合、セルＹにおいてサブチャネルグループ＃３を使用して通信を行う端末は、セルＸからの干渉レベルが無視できなくなる（伝搬減衰が十分でない）。これに対して、セルＸにおいて偶数番目のサブチャネルグループであるサブチャネルグループ＃２を追加し、下りデータを割り当てて送信した場合、セルＹにおいてサブチャネルグループ＃３を使用して通信を行う端末は、セルＸからの干渉レベルを無視できる（または、干渉の影響が小さくなる）。また、セルＸの基地局は、他セルへの干渉を抑えるために、追加したサブチャネルグループには、送信電力密度が低い下りデータを優先的に割り当てる。【００３７】
ここで、送信電力密度に基づいて下りデータをスケジューリングする動作例を図８および９に基づいて説明する。図８および９は、セルＸにおけるスケジューリング動作の一例を説明するための図である。図８は、セルＸおよびセルＹに存在する複数の端末の位置関係を示しており、セルＸにおいては基地局７０に最も近い位置に端末７３が存在し、セルＹとの境界付近に端末７４が存在している。また、セルＸには、基地局７０からの距離が、端末７３のそれよりも長く、かつ端末７４のそれよりも短い端末７１および７２が存在している。また、セルＹにおいては基地局８０に最も近い位置に端末８２が存在し、セルＸとの境界付近に端末８１が存在している。また、図９は、セルＸおよびＹにおけるスケジューリング結果の一例を示している。【００３８】
図８に示した場合において、セルＸの基地局７０（のスケジューリング部）は、まず、セル端（セルＸとの境界付近）に位置している端末７４へ送信する下りデータ（ＤＬ−ＤＡＴＡ＃７４）をサブチャネルグループ＃１へ割り当てる。次に、基地局７０は、端末７４以外の端末へ送信する全ての下りデータを残りの領域（サブチャネルグループ＃１の残りの領域とサブチャネルグループ＃０）へ割り当てる。このとき、基地局７０は、端末７４以外の端末への送信下りデータ全てを残りの領域へ割り当て可能かどうかを確認し、全ての下りデータを割り当てられない場合には、送信電力密度が一番小さい端末７３へ送信する下りデータ（ＤＬ−ＤＡＴＡ＃７３）をサブチャネルグループ＃２へ割り当てる。そして基地局７０は、残りの下りデータ（ＤＬ−ＤＡＴＡ＃７１，ＤＬ−ＤＡＴＡ＃７２）をサブチャネルグループ＃０へ割り当てる。【００３９】
なお、端末７３への下りデータをサブチャネルグループ＃２へ割り当てても残りの下りデータ全てをサブチャネルグループ＃０へ割り当てられない場合には、端末７３への下りデータの次に送信電力密度の低いものを、さらにサブチャネルグループ＃２へ割り当てる、などの調整を行い、全ての下りデータをサブチャネルグループへ割り当てる。【００４０】
同様に、セルＹにおいて、基地局８０は、セル端の端末である端末８１へ送信する下りデータ（ＤＬ−ＤＡＴＡ＃８１）をサブチャネルグループ＃３へ割り当てる。また、基地局８０は、残りの端末８２へ送信する下りデータ（ＤＬ−ＤＡＴＡ＃８２）をサブチャネルグループ＃２へ割り当てる。【００４１】
この場合、基地局７０が送信するＤＬ−ＤＡＴＡ＃７３と、基地局８０が送信するＤＬ−ＤＡＴＡ＃８２が衝突する（図９参照）。しかしながら、端末７３へ到達する基地局８０からの信号（端末８２への送信信号）は伝搬減衰により十分小さくなっており、端末７３は、基地局７０から送信された自身宛の情報を正しく復調できる。端末８２においても同様であり、端末８２は、基地局８０から送信された自身宛の情報を正しく復調できる。【００４２】
また、セルＸの基地局が、奇数番目のサブチャネルグループも追加してスケジューリングを行う場合、まず、奇数番目のサブチャネルグループへ送信電力密度が最も小さい下りデータを優先的に割り当て（基地局近くの端末等の低送信電力でも復調可能なものから優先的に割り当てる）、次に、残っているものの中で送信電力密度が最も小さい下りデータを、追加した偶数番目のサブチャネルグループへ優先的に割り当てる。【００４３】
なお、上記説明においては、より送信電力密度の高い下りデータを奇数番目のサブチャネルグループへ割り当て、サブチャネルグループを追加する場合には偶数番目のサブチャネルグループから順番に追加することとしているが、これとは逆の動作としてもよい。すなわち、より送信電力密度の高い下りデータを偶数番目のサブチャネルグループへ割り当て、サブチャネルグループを追加する場合には奇数番目のサブチャネルグループから順番に追加する追加するようにしてもよい。また、他のセルにおいて、デフォルトサブチャネルグループへ全ての下りデータを収容できない場合も、同様の手順によりサブチャネルグループを追加し、より多くの下りデータを送信できるようにする。また、図７に示した例などにおいて、各ＤＬゾーンは時間的に同期している必要はない。【００４４】
このように、本実施の形態においては、予め割り当てられているサブチャネルグループのみを使用して下りデータを送信できない（予め規定されている下りデータを割り当てるための領域内に全ての下りデータを割り当てることができない）場合、基地局は、使用するサブチャネルグループを順番に追加して下りデータを割り当てるための領域を拡張し、追加したサブチャネルグループには、より送信電力密度の低い下りデータを優先的に割り当てることとした。これにより、他セル干渉波の影響を低く抑えつつ、平均スループットを向上させることができる。【００４５】
また、各セルの基地局は、全ての下りデータを割り当てることができない場合には、予め規定された手順に従って自律的に下りデータを割り当てるための領域を拡張する動作を実行することとした。そのため、システムにおいて基地局間で割り当てるサブチャネルを管理する必要がなく（基地局間で制御情報のやりとりをする必要がなく）簡易な手順で他セルに対する干渉の抑圧および平均スループットの向上を実現することができる。【００４６】
実施の形態３．
つづいて、実施の形態３のスケジューリング方法および通信装置について説明する。実施の形態１および２においては、基地局から端末へ送信する下りデータのスケジューリング動作について説明したが、本実施の形態においては、端末から基地局へ送信する上りデータのスケジューリング動作について説明する。なお、本実施の形態の無線通信システムの構成および基地局の構成は上述した実施の形態１と同様である。また、各セルの構成は図１０−１に示したような構成をとり（ＵＬにおいて各セルが単一セグメント構成をとり）、かつ、ＰＵＳＣを適用するものとする。なお、図１０−２は各セルに対する周波数帯域（サブチャネル）の割り当て結果の一例を示している。また、各セルの“UL_PermBase”（各セルに対して割り当てられるサブチャネルの構成を示すシステムパラメータ）は、同一であるものとする。さらに、図１１に示すように、セルＸ、Ｙ、Ｚそれぞれに全サブチャネル数の１／３程度ずつをデフォルトサブチャネル群として割り当てるものとする。【００４７】
なお、ＰＵＳＣを適用したシステムの場合、各端末が使用するサブチャネルは基地局が決定し、基地局は決定結果を各端末に対して通知する。また、“UL_PermBase”が同一であれば、ＵＬゾーン（UL  Zone）によらず、各サブチャネルを構成するサブキャリアは同一であるので、デフォルトサブチャネル群を使用している限り、他セルへの干渉は生じない。【００４８】
図１２は、各セルに割り当てられたデフォルトサブチャネル群の構成例を示す図である。そして、各セルのデフォルトサブチャネル群は、図１２に示したように、さらに、複数の領域に分割されて使用される。この図１２に基づいて上りデータのスケジューリング動作を説明する。ここでは一例として、セルＸにおいて送信される上りデータのスケジューリング動作を説明する。なお、上りデータのスケジューリング動作も実施の形態１および２において示した下りデータのスケジューリング動作と同様に、他セル干渉の影響を避ける（抑圧する）ように上りデータをスケジューリングする。具体的には、送信波の他の基地局への到達レベルが高くなる端末（たとえばセル端に位置している端末）の上りデータを、デフォルトサブチャネル群に含まれる下側の領域（図１２に示した例のサブチャネル群Ｘｂ）へ割り当てる。【００４９】
ここで、各セルにおいてデフォルトサブチャネル群が、図１２に示した例のように複数の領域を含む理由について説明する。規格（IEEE  std  802.16-2004）によれば、連続するサブチャネルにより構成される特定の領域に対して複数の上りデータを割り当てる場合、各セルの基地局は、前記特定の領域に対して各上りデータを上詰めで割り当てる必要がある。たとえば、図１３に示したように、セルＸの基地局がデフォルトサブチャネル群の全ての領域を、各上りデータを割り当てる単一の領域として割り当て、当該領域へ各上りデータをスケジューリングする（割り当てる）場合について考える。この場合、基地局は、図１３の（ａ）に示したように上りデータ（Burst#1,#2,#3）を割り当てることはできず、（ｂ）に示したように各上りデータを割り当てる必要がある。【００５０】
そのため、基地局は、図１２および１４に示したように、デフォルトサブチャネル群を連続したサブチャネルにより構成される複数の領域（図１２、１４の場合は２つの領域）に分割する。そして、基地局は、分割後の各領域を上りデータを割り当てる領域として割り当て、それらの領域へ各上りデータをスケジューリングする（割り当てる）。これにより、上りデータをサブチャネル領域に対して上詰めする必要があるＵＬへのスケジューリングを行う場合であっても、図１４に示した例のようにセル端に位置している端末の上りデータを固定のサブチャネルに割り当てることが可能となる。【００５１】
なお、デフォルトサブチャネル群は、使用しないサブチャネルにより分割される。すなわち、基地局は、デフォルトサブチャネル群の特定の領域を使用しないサブチャネル領域とすることで、デフォルトサブチャネル群を複数の領域に分割する。たとえば、デフォルトサブチャネル群がサブチャネル＃０〜＃Ｎにより構成されている場合、基地局は、サブチャネル＃０〜＃Ｍを第１の領域（サブチャネル群Ｘａに相当）とし、サブチャネル＃Ｍ＋１および＃Ｍ＋２を使用しないサブチャネル領域とする。さらに、サブチャネル＃Ｍ＋３〜＃Ｎを第２の領域（サブチャネル群Ｘｂに相当）とする。【００５２】
また、セルＸのＵＬに対して割り当てたい上りデータが多数存在し、それら全てを図１１に示したデフォルトの割り当て領域（セルＸに割り当てられたデフォルトサブチャネル群）に収容できない場合、基地局は、図１５に示すように使用するサブチャネルを増加する。これにより、全ての上りデータをＵＬに収容できるようにする。【００５３】
このとき、基地局は、セルＹがデフォルトサブチャネル群として使用しているものと同じサブチャネルを追加するが、まず、図１２におけるサブチャネル群Ｙａに属するサブチャネルを追加する。ここで、上記サブチャネル群Ｙａを追加したにもかかわらず全ての上りデータを収容できない場合、図１２におけるサブチャネル群Ｚａに属するサブチャネルをさらに追加する。それでもなお全ての上りデータを収容できない場合には、セルＺにおいて使用するためのサブチャネルであって上記処理において追加を行わなかった残り部分（図１２におけるサブチャネル群Ｚｂに属するサブチャネル）を追加する。そして、さらに追加が必要な場合には、セルＹにおいて使用するためのサブチャネルであって上記処理において追加を行わなかった残り部分（サブチャネル群Ｙｂに属するサブチャネル）を追加する。以上のサブチャネル追加手順は、上りデータの割り当てをサブチャネル方向に上詰め（論理サブチャネル番号に対して上詰め）するためである。そのため、論理サブチャネル番号を任意に与えられる場合には、上記の順番通りにサブチャネルを追加しなくてもよい。そして、追加したサブチャネルに他セルの基地局への干渉となりにくい低送信電力密度の上りデータを優先的に割り当てる。【００５４】
ここで、送信電力密度に基づいて上りデータをスケジューリングする動作例を図８および１６に基づいて説明する。図１６は、セルＸおよびＹにおけるスケジューリング結果の一例を示している。【００５５】
図８に示した場合において、セルＸの基地局７０（のスケジューリング部）は、まず、セル端（セルＸとの境界付近）に位置している端末７４からの上りデータ（ＵＬ−ＤＡＴＡ＃７４）をセルＸに対するデフォルトサブチャネル群の下の方のサブチャネル（サブチャネル群Ｘｂ）へ割り当てる。次に、基地局７０は、端末７４以外の端末からの上りデータを残りの領域（デフォルトサブチャネル群）へ割り当てる。このとき、基地局７０は、端末７４以外の端末からの上りデータ全てを残りの領域へ割り当て可能かどうかを確認し、全ての上りデータを割り当てられない場合には、送信電力密度が一番小さい端末７３からの上りデータ（ＵＬ−ＤＡＴＡ＃７３）をセルＹのデフォルトサブチャネル群の上の方（サブチャネル群Ｙａ）のサブチャネルへ割り当てる。そして基地局７０は、残りの上りデータをセルＸのデフォルトサブチャネル群の残り領域へ割り当てる。【００５６】
なお、端末７３からの上りデータ（ＵＬ−ＤＡＴＡ＃７３）をセルＹのデフォルトサブチャネル群へ割り当てても残りの上りデータ全てをセルＸのデフォルトサブチャネル群の残り領域へ割り当てられない場合には、端末７３からの上りデータの次に送信電力密度の低いものを、さらにセルＹのデフォルトサブチャネル群（サブチャネル群Ｙａ）またはセルＺのデフォルトサブチャネル群（サブチャネル群Ｚａ）へ割り当てる、などの調整を行い、全ての上りデータについてのスケジューリングを行う。【００５７】
同様に、セルＹにおいて、基地局８０は、セル端の端末である端末８１からの上りデータ（ＵＬ−ＤＡＴＡ＃８１）をセルＹに対するデフォルトサブチャネル群の下の方（サブチャネル群Ｙｂ）に割り当てる。また、基地局８０は、残りの端末８２からの上りデータ（ＵＬ−ＤＡＴＡ＃８２）を残りの領域（サブチャネル群Ｙａ）へ割り当てる。【００５８】
この場合、端末７３が送信するＵＬ−ＤＡＴＡ＃７３と、端末８２が送信するＵＬ−ＤＡＴＡ＃８２が衝突する（図１６参照）。しかしながら、端末８２が上りデータを割り当てて送信した信号は、伝搬減衰により基地局７０へ到達した時点で十分小さくなっており、基地局７０は、端末７３が送信した自身宛の情報を正しく復調できる。基地局８０においても同様であり、端末８２が送信した自身宛の情報を正しく復調できる。【００５９】
また、セルＸの基地局が、サブチャネル群Ｙｂおよびサブチャネル群Ｚｂを追加してスケジューリングを行う場合、まず、サブチャネル群Ｙｂおよびサブチャネル群Ｚｂへ送信電力密度が最も小さい上りデータを優先的に割り当て（基地局近くの端末等の低送信電力でも復調可能なものから優先的に割り当てる）、次に、残っているものの中で送信電力密度が最も小さい下りデータを、サブチャネル群Ｙａおよびサブチャネル群Ｚａへ優先的に割り当てる。【００６０】
なお、上記説明においては、セル端の端末等の他セルの基地局への到達電力密度の高い上りデータを、自セルに対するデフォルトサブチャネル群の下の方（サブチャネル群Ｘｂ）へ割り当て、上りデータを割り当てるためのサブチャネルを追加する場合、まず他セルのデフォルトサブチャネル群の上の方（サブチャネル群Ｙａ、サブチャネル群Ｚａ）を追加し、さらに追加が必要な場合には、他セルのデフォルトサブチャネル群の下の方（サブチャネル群Ｙｂ、サブチャネル群Ｚｂ）を追加することとしているが、これとは逆の動作としてもよい。つまり、特定のサブチャネルを他セルの基地局への到達電力密度が高いもの用とすればよい。一例として、上記説明とは逆の場合、より他セルの基地局への到達電力密度の高い上りデータをサブチャネル群Ｘａへ割り当て、上りデータを割り当てるためのサブチャネルを追加する場合には、まず他セルのデフォルトサブチャネル群の下の方（サブチャネル群Ｙｂ、サブチャネル群Ｚｂ）を追加するようにしてもよい。また、他のセルにおいて、デフォルトサブチャネル群へ全ての上りデータを収容できない場合にも、各セルの基地局は、同様の手順によりサブチャネルを追加する。また、図１１に示した例などにおいて、UL_PermBaseが同一であれば、ＵＬゾーンによらず各サブチャネルを構成するサブキャリアは各セルにおいて同一であるから、各ＵＬゾーンは時間的に同期している必要はない。一方、ＵＬゾーン毎にUL_PermBaseが異なる場合、各ＵＬゾーン領域は時間的に同一とする必要がある（ただし、同一のＵＬゾーンでは各セルのUL_PermBaseは同一とする）。【００６１】
このように、本実施の形態においては、予め割り当てられているサブチャネル（デフォルトサブチャネル群）に対して、割り当てたい全ての上りデータを割り当てられない場合に、基地局は、他セルが優先的に使用するデフォルトサブチャネル群のサブチャネルを順番に追加して上りデータを割り当てるための領域を拡張し、追加したサブチャネルには、より他セルの基地局への到達電力密度の低い上りデータを割り当てることとした。これにより、他セル干渉波の影響を低く抑えつつ、平均スループットを向上させることができる。【００６２】
また、各セルの基地局は、全ての上りデータを割り当てることができない場合には、予め規定された手順に従って自律的に上りデータを割り当てるための領域を拡張する動作を実行することとした。そのため、システムにおいて基地局間で割り当てるサブチャネルを管理する必要がなく（基地局間で制御情報のやりとりをする必要がなく）簡易な手順で他セルに対する干渉の抑圧および平均スループットの向上を実現することができる。
【産業上の利用可能性】
【００６３】
以上のように、本発明にかかるスケジューリング方法は、無線通信システムに有用であり、特に、ＯＦＤＭＡ（Orthogonal  Frequency  Division  Multiple  Access）方式を使用した無線通信システムを構成する基地局が、隣接するセルとの間で干渉が発生するのを回避しつつ高スループットを実現するスケジューリング方法に適している。
【図１−１】
2007138664.tif 000003
【図１−２】
2007138664.tif 000004
【図２】
2007138664.tif 000005
【図３】
2007138664.tif 000006
【図４】
2007138664.tif 000007
【図５】
2007138664.tif 000008
【図６】
2007138664.tif 000009
【図７】
2007138664.tif 000010
【図８】
2007138664.tif 000011
【図９】
2007138664.tif 000012
【図１０−１】
2007138664.tif 000013
【図１０−２】
2007138664.tif 000014
【図１１】
2007138664.tif 000015
【図１２】
2007138664.tif 000016
【図１３】
2007138664.tif 000017
【図１４】
2007138664.tif 000018
【図１５】
2007138664.tif 000019
【図１６】
2007138664.tif 000020
【国際調査報告】
2007138664.tif 000021
2007138664.tif 000022
2007138664.tif 000023
2007138664.tif 000024